(57)【要約】【課題】本考案は、現場において、測定した実寸の１／２の寸法を、長さ測定器具の目盛から、実寸と同時に読み取ることができ、かつ、少ない人員及び労力で、測定した実寸の１／２、１／４、１／８、１／１６・・・の箇所を迅速かつ的確に割出して、該箇所に印を付すことができる長さ測定器具を提供する。【解決手段】本考案は、帯状の物差し体に実寸目盛が付された長さ測定器具であって、帯状の物差し体の少なくとも一つの面の一方の縁に、上記実寸目盛が付されており、更に、上記実寸目盛が付された帯状の物差し体の面と同一の面の他方の縁に、上記実寸目盛の２倍の寸法の倍尺目盛が付されており、かつ、上記実寸目盛の起点、及び、上記実寸目盛の２倍の寸法の倍尺目盛の起点が、帯状の物差し体の二つの縁に直交する線分が該二つの縁と交差する点に、夫々位置することを特徴とする長さ測定器具である。【選択図】図１
0003167046.tif 000002
【実用新案登録請求の範囲】
【請求項１】
帯状の物差し体に実寸目盛が付された長さ測定器具であって、帯状の物差し体の少なくとも一つの面の一方の縁に、上記実寸目盛が付されており、更に、上記実寸目盛が付された帯状の物差し体の面と同一の面の他方の縁に、上記実寸目盛の２倍の寸法の倍尺目盛が付されており、かつ、上記実寸目盛の起点、及び、上記実寸目盛の２倍の寸法の倍尺目盛の起点が、帯状の物差し体の二つの縁に直交する線分が該二つの縁と交差する点に、夫々位置することを特徴とする長さ測定器具。
【請求項２】
上記の長さ測定器具が巻尺である、請求項１記載の長さ測定器具。
【請求項３】
上記実寸目盛の起点、及び、上記実寸目盛の２倍の寸法の倍尺目盛の起点が、いずれも帯状の物差し体の端部に位置する、請求項１又は２記載の長さ測定器具。
【請求項４】
上記実寸目盛、及び、上記実寸目盛の２倍の寸法の倍尺目盛が、いずれも帯状の物差し体の一端から他端に向かって、ほぼ全長に亘って付されており、かつ、上記実寸目盛が０から２００メートルまで付されており、一方、上記実寸目盛の２倍の寸法の倍尺目盛が０〜１００メートルまで付されている、請求項１〜３のいずれか一つに記載の長さ測定器具。
【請求項５】
上記実寸目盛が０から５メートルまで付されており、一方、上記実寸目盛の２倍の寸法の倍尺目盛が０〜２．５メートルまで付されている、請求項４記載の長さ測定器具。
【請求項６】
上記実寸目盛が、１ｍｍ毎に表示線を備え、かつ、１０ｍｍ毎に対応する長さの数字が付されて構成され、一方、上記実寸目盛の２倍の寸法の倍尺目盛が、実寸で１ｍｍ毎に表示線を備え、かつ、実寸で１０ｍｍ毎に実寸の１／２の長さの数字が付されて構成されている、請求項１〜５のいずれか一つに記載の長さ測定器具。
【考案の詳細な説明】
【技術分野】
【０００１】
本考案は長さ測定器具に関し、更に詳しくは、実寸目盛と、実寸目盛の２倍の寸法の倍尺目盛とを備えた長さ測定器具に関するものである。
【背景技術】
【０００２】
従来、実寸目盛と縮尺目盛とを備えた種々の巻尺が知られている。例えば、特許文献１には、スチールスケールの目盛の片側に縮尺目盛を付けて３０センチメートルごとに縮尺目盛を変えて、淡色の色遣いで色別し、その色をケースの平らな面に見出しの印として表すことが開示されている。該巻尺は、外部に持出した図面、地図類の縮図を測るために使用するものである。特許文献２には、所定の長さを有する帯体と、前記帯体の収納及び引き出しを可能としたケースとを備え、前記帯体の長手方向に沿った一辺には距離測定用目盛が印され、前記帯体の長手方向に沿った他辺には互いに縮尺の異なる複数種類の縮尺目盛が印されている、縮尺目盛付き小型巻尺が開示されている。該巻尺は、縮尺図面上の縮尺寸法と実の寸法の双方の寸法を読み取るために使用するものである。特許文献３には、テープ断面が樋状になったコンベックスルールにおいて、目盛面の一方の目盛側面に沿って表示された実際の長さを示す照準尺度の目盛と、目盛面の他方の目盛側面に沿って、又は、目盛面の裏面に一定間隔をおいてあらかじめ定められた一定長さの５種類の縮尺目盛とを有し、５種類の縮尺目盛は標準尺度の１／２、１／３、１／４、１／５及び１／６の異なる尺度で表示されている、縮尺付き鋼製巻尺が開示されている。該巻尺は、実際の現場で、各種縮尺で作成された設計図等から配管する管の寸法や間隔、バルブ等の位置を確実に読み取るために使用するものである。これらの巻尺は、いずれも実寸目盛の反対側に尺度の異なる種々の縮尺目盛を設けるものであり、これにより、現場において、所定の縮尺で描かれた図面から実寸を割り出すのに使用するものであり、従来使用していた三角スケールを代用するものである。従って、現場において、実際に長い寸法を測定し、そして、縮尺された状態での長い寸法で、対象物に印を付けるためには著しく不便であった。
【０００３】
上記の問題を解決するために、特許文献４には、巻かれて収納されたケースから引き出して使用する可撓性を有した帯状の物差し体に、実寸の目盛りと縮尺された目盛りとが付けられて構成される巻尺であって、前記ケースから引き出した際の前記物差し体の表面側における両縁の一方に、実寸の前記目盛りが、前記物差し体の全長に亘って付けられると共に、他方に、縮尺された前記目盛りが、前記物差し体の全長に亘って一種類の尺度だけとして付けられ、実寸の前記目盛りが、１ｍｍ毎の表示線を付けると共に、１ｃｍ毎に、対応する長さの数字を付けて表示され、縮尺された前記目盛りが、少なくとも対応するｃｍ毎に対応する長さの数字を付けると共に、目視可能な範囲で、対応する１ｍｍ毎、２ｍｍ毎、５ｍｍ毎のいずれかの表示線を付けて表示されていることを特徴とする巻尺が開示されている。ここで、縮尺された目盛りは、実寸の１／２、１／３及び１／４の尺度のいずれかである。該巻尺は、対象物に印を付ける際、その対象物の長さ寸法を等分割した位置に印を付けるのに使用するものである。
【先行技術文献】
【特許文献】
【０００４】
【特許文献１】実開平５−６４７０２号公報
【特許文献２】実開平５−９２６０２号公報
【特許文献３】登録実用新案第３００８２１０号公報
【特許文献４】実用新案登録第３１１９６３３号公報
【考案の概要】
【考案が解決しようとする課題】
【０００５】
本考案は、現場において、測定した実寸の１／２の寸法を、長さ測定器具の目盛から、実寸と同時に読み取ることができ、かつ、少ない人員及び労力で、測定した実寸の１／２、１／４、１／８、１／１６・・・の箇所を迅速かつ的確に割出して、該箇所に印を付すことができる長さ測定器具を提供するものである。
【課題を解決するための手段】
【０００６】
上記の特許文献１〜３に記載された巻尺は、帯状の物差し体の一方の縁に実寸目盛が付されており、同一面の他方の縁、又は、他方の面に、所定の縮尺寸法、例えば、１／２、１／３、１／４、１／５及び１／６の縮尺寸法が、一定の長さかつ一定の間隔で付されているものである。これらの巻尺は、現場で図面等の縮図から実寸を割り出すために使用されるものである。従って、現場で比較的長い寸法を測定した際、その寸法の、例えば、１／２、１／３、１／４、１／５及び１／６の縮尺寸法を、該巻尺から直ちに読み取ることは困難であり、都度、計算機等を使用して算出する必要があった。従って、測定した実寸の１／２、１／３、１／４、１／５及び１／６の箇所を迅速かつ的確に割出して、該箇所に印を付すことに使用するには適していなかった。一方、上記の特許文献４に記載された巻尺は、このような、特許文献１〜３に記載された巻尺の欠点を解決するものである。しかし、特許文献４に記載された巻尺は、例えば、図４（特許文献４の図１、図１中、ａが実寸目盛であり、ｃが実寸目盛の１／２の寸法の縮尺目盛である）から明らかなように、測定した実寸、例えば、該図４に示された３１３ｍｍの１／２の寸法を知るためには、他方の縁に付された１／２の縮尺寸法の３１３ｍｍの位置まで移動し、かつその位置で反対側に付された実寸目盛を読み取らなければならず、実寸の測定と同時に１／２の縮尺寸法を知ることはできなかった。故に、実寸を測定した位置で１／２の寸法を知るためには、やはり、計算機等を使用する必要があった。従って、測定した実寸の１／２の位置に印を付すためには、実寸を測定した者とは別の者が１／２の位置を確認して印を付けるか、又は、実寸を測定した者自身が、再度、１／２の縮尺目盛を使用して該寸法３１３ｍｍを読み取り、その位置に印を付ける必要があった。また、縮尺目盛を使用して１／２の長さを測定することから、元の長さの１／２、更に、その１／２、即ち、元の長さの１／４、更には、その１／２、即ち、元の長さの１／８を順次測定するためには、実寸目盛と縮尺目盛とを交互に使用して測定する必要があることから、その関係が複雑化して、現場においては、その長さ関係を取り違えることが頻繁にあり、使い勝手が著しく悪かった。
【０００７】
そこで、本考案者は、特許文献４記載の巻尺におけるこのような欠点を解決すべく鋭意検討した。その結果、従来技術で通常採用されている実寸目盛と縮尺目盛とを併用すると言う考えを排して、縮尺目盛に代えて倍尺目盛を使用するという発想に思い至った。そして、長さ測定器具として、下記のように実寸目盛と、実寸目盛の２倍の寸法の倍尺目盛とを対応する位置関係に付したものを使用すれば、実寸を測定すると同時にその１／２の寸法を知ることができ、そして、その位置からその１／２の寸法を実寸で測定すれば、直ちに元の長さの１／２の地点を割り出すことができることに思い当った。また、このように常に実寸目盛を使用して測定することにより、元の長さの１／２、１／４、１／８・・・の長さを間違えることなく、迅速かつ的確に割り出して、該箇所に印を付けることができることを見出し、本考案を完成するに至った。
【０００８】
即ち、本考案は、
（１）帯状の物差し体に実寸目盛が付された長さ測定器具であって、帯状の物差し体の少なくとも一つの面の一方の縁に、上記実寸目盛が付されており、更に、上記実寸目盛が付された帯状の物差し体の面と同一の面の他方の縁に、上記実寸目盛の２倍の寸法の倍尺目盛が付されており、かつ、上記実寸目盛の起点、及び、上記実寸目盛の２倍の寸法の倍尺目盛の起点が、帯状の物差し体の二つの縁に直交する線分が該二つの縁と交差する点に、夫々位置することを特徴とする長さ測定器具
である。
【０００９】
好ましい態様として、
（２）上記の長さ測定器具が物差し、巻尺、差し金及びウォーキングメジャーから選ばれる、上記（１）記載の長さ測定器具、
（３）上記の長さ測定器具が巻尺である、上記（１）記載の長さ測定器具、
（４）上記実寸目盛の起点、及び、上記実寸目盛の２倍の寸法の倍尺目盛の起点が、いずれも帯状の物差し体の端部に位置する、上記（１）〜（３）のいずれか一つに記載の長さ測定器具、
（５）上記実寸目盛及び実寸目盛の２倍の寸法の倍尺目盛が、いずれも帯状の物差し体の一端から他端に向かって、ほぼ全長に亘って付されている、上記（１）〜（４）のいずれか一つに記載の長さ測定器具、
（６）上記実寸目盛が０から２００メートルまで付されており、一方、上記実寸目盛の２倍の寸法の倍尺目盛が０〜１００メートルまで付されている、上記（１）〜（５）のいずれか一つに記載の長さ測定器具、
（７）上記実寸目盛が０から１００メートルまで付されており、一方、上記実寸目盛の２倍の寸法の倍尺目盛が０〜５０メートルまで付されている、上記（１）〜（５）のいずれか一つに記載の長さ測定器具、
（８）上記実寸目盛が０から５０メートルまで付されており、一方、上記実寸目盛の２倍の寸法の倍尺目盛が０〜２５メートルまで付されている、上記（１）〜（５）のいずれか一つに記載の長さ測定器具、
（９）上記実寸目盛が０から１０メートルまで付されており、一方、上記実寸目盛の２倍の寸法の倍尺目盛が０〜５メートルまで付されている、上記（１）〜（５）のいずれか一つに記載の長さ測定器具、
（１０）上記実寸目盛が０から５メートルまで付されており、一方、上記実寸目盛の２倍の寸法の倍尺目盛が０〜２．５メートルまで付されている、上記（１）〜（５）のいずれか一つに記載の長さ測定器具、
（１１）上記実寸目盛が０から３メートルまで付されており、一方、上記実寸目盛の２倍の寸法の倍尺目盛が０〜１．５メートルまで付されている、上記（１）〜（５）のいずれか一つに記載の長さ測定器具、
（１２）上記実寸目盛が、１ｍｍ毎に表示線を備え、かつ、１０ｍｍ毎に対応する長さの数字が付されて構成され、一方、上記実寸目盛の２倍の寸法の倍尺目盛が、実寸で１ｍｍ毎に表示線を備え、かつ、実寸で１０ｍｍ毎に実寸の１／２の長さの数字が付されて構成されている、上記（１）〜（１１）のいずれか一つに記載の長さ測定器具、
（１３）上記実寸目盛が、黒色で表示され、かつ、上記実寸目盛の２倍の寸法の倍尺目盛が、黒色以外の色で表示される、上記（１）〜（１２）のいずれか一つに記載の長さ測定器具、
（１４）黒色以外の色が、赤色、橙色、黄色、青色及び緑色より成る群から選ばれる、上記（１３）記載の長さ測定器具
を挙げることができる。
【考案の効果】
【００１０】
本考案の長さ測定器具を使用すれば、現場において、実寸を測定すると同時にその１／２の寸法を知ることができる。従って、本考案の長さ測定器具は、現場において頻繁に行われる、元の寸法の１／２、１／４、１／８、１／１６・・・・・の地点の割り出し及び位置決めに際して、非常に有効である。例えば、本考案の巻尺を使用して所定の寸法を測定すると同時に、その１／２の寸法を知り、次いで、その測定点に巻尺のゼロを合わせ、その測定点から、その１／２の寸法を実寸目盛で測定すれば、容易かつ的確に元の寸法の１／２の地点を割り出しかつ位置決めすることができる。これを繰り返すことにより、元の寸法の１／２、１／４、１／８、１／１６・・・・・の地点を容易かつ的確に割り出しかつ位置決めすることができる。
【図面の簡単な説明】
【００１１】
【図１】図１は、本考案の長さ測定器具の一実施態様を示した説明図である。
【図２】図２は、天井照明器具取付工事の説明図である。（実施例１）
【図３】図３は、温室の骨組みの設置工事の説明図である。（実施例２）
【図４】図４は、従来（特許文献４）の巻尺を示した説明図である。
【考案を実施するための形態】
【００１２】
本考案に係る長さ測定器具（Ａ）は、帯状の物差し体の少なくとも一つの面の一方の縁に、実寸目盛（ａ）が付されている。一方、実寸目盛が付された帯状の物差し体の面と同一の面の他方の縁に、上記実寸目盛の２倍の寸法の倍尺目盛（ｂ）が付されている。通常は、帯状の物差し体の一つの面に目盛が付されているが、もちろん、両面に付されていても構わない。これらの実寸目盛の起点、及び、実寸目盛の２倍の寸法の倍尺目盛の起点、例えば、ゼロの点は、帯状の物差し体の二つの縁に直交する線分が該二つの縁と交差する点に、夫々位置する。これにより、測定した長さの実寸と実寸の２倍の寸法の目盛とが対応して、実寸と実寸の１／２倍の寸法を、その場で、同時に読み取ることができる。ここで、帯状とは、帯のように一定の幅があって細長く続く形を言う。また、該長さ測定器具の材質としては、通常、長さ測定器具に使用されている材質、例えば、布、金属、プラスチック、木材等が使用される。
【００１３】
本考案に係る長さ測定器具（Ａ）に付されている上記実寸目盛（ａ）、及び、上記実寸目盛の２倍の寸法の倍尺目盛（ｂ）は、いずれも帯状の物差し体の一端から他端に向かって、ほぼ全長に亘って付されていることが好ましい。とりわけ、実寸目盛の起点、及び、実寸目盛の２倍の寸法の倍尺目盛の起点は、いずれも帯状の物差し体の端部に位置することが好ましい。これらの目盛は、長さ測定器具の種類に依存して決定される。長さ測定器具の種類としては、例えば、物差し、巻尺、差し金、ウォーキングメジャー等が挙げられる。本考案の長さ測定器具の特質から考えて、巻尺が好ましい。本考案に係る長さ測定器具に付されている実寸目盛は、好ましくは０から２００メートル、より好ましくは０から１００メートル、更に好ましくは０から５０メートル、より更に好ましくは０から１０メートル、特に好ましくは０から５メートル、とりわけ好ましくは０から３メートルである。一方、実寸目盛の２倍の寸法の倍尺目盛は、上記の実寸目盛に対応して付されており、実寸目盛が０から２００メートルであるときは０〜１００メートル、実寸目盛が０から１００メートルであるときは０〜５０ｍ、実寸目盛が０から５０メートルであるときは０〜２５ｍ、実寸目盛が０から１０メートルであるときは０〜５ｍ、実寸目盛が０から５メートルであるときは０〜２．５ｍ、実寸目盛が０から３メートルであるときは０〜１．５ｍである。目盛に付す数字の表示方法は特に限定されず、長さ測定器具の用途によって種々変更することができる。例えば、実寸目盛及び実寸目盛の２倍の寸法の倍尺目盛ともに、ミリメートル単位、センチメートル単位で表示することができる。
【００１４】
図１は、本考案の長さ測定器具（Ａ）の一実施態様を示した説明図である。実寸目盛（ａ）は、好ましくは、１ｍｍ毎に表示線（１）を備え、かつ、１０ｍｍ毎に対応する長さの数字（２）が付されて構成されている。また、上記の実寸目盛の２倍の寸法の倍尺目盛（ｂ）は、実寸で１ｍｍ毎に表示線（３）を備え、かつ、実寸で１０ｍｍ毎に実寸の１／２の長さの数字（４）が付されて構成されている。例えば、測定した長さが３１５ｍｍであれば、その１／２の長さである１５７．５ｍｍを、実寸と同時に読み取ることができる。また、実寸目盛（ａ）と実寸目盛の２倍の寸法の倍尺目盛（ｂ）とは、互いに異なる色で表示されていることが好ましい。これにより、現場において間違えることなく、実寸及びその１／２の寸法を即座に知ることができる。好ましくは、実寸目盛は黒色で表示され、実寸目盛の２倍の寸法の倍尺目盛は黒色以外の色で表示される。黒色以外の色としては、例えば、赤色、橙色、黄色、青色、緑色等が挙げられる。好ましい態様としては、実寸目盛が黒色で表示され、一方、実寸目盛の２倍の寸法の倍尺目盛が赤色で表示される。
【００１５】
本考案の長さ測定器具としては、上記のように、例えば、物差し、巻尺、差し金、ウォーキングメジャー等が挙げられる。これらの形状、材質等は従来と同様であり、かついずれも従来のものと同様にして作製することができる。
【００１６】
以下の実施例において、本考案を更に詳細に説明するが、本考案はこれら実施例により限定されるものではない。
【００１７】
（実施例１）
本実施例においては、本考案の巻尺を使用して、天井に照明器具を設置する際における各照明器具の位置決めを実施した。使用した巻尺は、実寸目盛（ａ）が０から１０メートル（１０，０００ミリメートル）まで付されており、一方、２倍の寸法の倍尺目盛（ｂ）が０〜５メートルまで付されているものであった。図２は、その位置決めのための説明図である。照明器具は全部で５個設置することとし、天井（５）の中央に大きな照明器具（６）を１個設置し、かつ、この大きな照明器具の周囲に等間隔で小さな照明器具（７）を４個設置することにした。図２に示した寸法は、全てミリメートル（ｍｍ）単位である。
【００１８】
まず、照明器具（６，７）を設置するための天井（５）の長手方向の全長を測定した。全長は７．１３０メートル（７，１３０ミリメートル）であった。該巻尺により、全長の１／２の寸法が３．５６５メートル（３，５６５ミリメートル）であることを、長手方向の全長を測定すると同時にその場で知ることができた。そこで、天井の長手方向の端部から３．５６５メートル（３，５６５ミリメートル）の長さを測定して、天井の長手方向の全長の１／２の位置を割出し、該位置に印を付した。同時に、全長の１／２の寸法、即ち、３．５６５メートル（３，５６５ミリメートル）の更に１／２の寸法、即ち、全長の１／４の寸法である１．７８２５メートル（１，７８２．５ミリメートル）を、その場で知ることができた。そこで、天井の長手方向の全長の１／２の印を付けた位置から、更に、左右両側に１．７８２５メートル（１，２７８．５ミリメートル）の長さを測定して、天井の長手方向の全長の１／４の位置を割出し、その位置に、夫々、印を付した。一方、天井の短手方向の全長を測定したところ、全長は４．１１０メートル（４，１１０ミリメートル）であった。次いで、長手方向と同様にして、短手方向の全長の１／２の位置及び１／４の位置に印を付した。このように、全て実寸目盛を使用して迅速かつ確実にその寸法を割出すことができた。
【００１９】
次いで、長手方向と短手方向の全長の１／２の位置及び１／４の位置同士の交点を求めて、各交点を設置する照明器具の中心位置と定めて電気配線工事を施し、照明器具を設置した。また、小さな照明器具（７）の配置は、上記のようにして定めた１／４の位置同士の交点を起点として、任意の方向及び任意の距離に定めることも容易に可能である。
【００２０】
（実施例２）
本実施例においては、本考案の巻尺を使用して、図３に示すような温室（８）の骨組みを現場で作成する際における各支柱（９）及び桁（１１）並びに梁（１０）の位置決めを実施した。使用した巻尺は、実寸目盛（ａ）が０から５０メートル（５０，０００ミリメートル）まで付されており、一方、２倍の寸法の倍尺目盛（ｂ）が０〜２５メートルまで付されているものであった。
【００２１】
まず、温室（８）を設置する場所の長手方向の全長を測定した。全長は２７．３３０メートル（２７，３３０ミリメートル）であった。該巻尺により、全長の１／２の寸法が１３．６６５メートル（１３，６６５ミリメートル）であることを、長手方向の全長を測定すると同時にその場で知ることができた。そこで、温室を設置する場所の長手方向の端部から１３．６６５メートル（１３，６６５ミリメートル）の長さを測定して、長手方向の全長の１／２の位置を割出し、該位置に印を付した。同時に、全長の１／２の寸法、即ち、１３．６６５メートル（１３，６６５ミリメートル）の更に１／２の寸法、即ち、全長の１／４の寸法である６．８３２５メートル（６，８３２．５ミリメートル）を、その場で知ることができた。そこで、温室を設置する場所の長手方向の全長の１／２の印を付けた位置から、更に、左右両側に６．８３２５メートル（６，８３２．５ミリメートル）の長さを測定して、長手方向の全長の１／４の位置を割出し、その位置に、夫々、印を付した。同時に、全長の１／４の寸法、即ち、６．８３２５メートル（６，８３２．５ミリメートル）の更に１／２の寸法、即ち、全長の１／８の寸法である３．４１６２５メートル（３，４１６．２５ミリメートル）を、その場で知ることができた。そこで、長手方向の全長の１／４の印を付けた位置から、更に、左右両側に３．４１６２５メートル（３，４１６．２５ミリメートル）の長さを測定して、長手方向の全長の１／８の位置を割出し、その位置に、夫々、印を付した。
【００２２】
次いで、温室（８）を設置する場所の左右両方の長手方向の両末端、長手方向の全長の１／２の位置、及び、長手方向の全長の１／４の位置に、夫々、支柱（９）を設置し、左右両方の支柱上に桁（１１）を配置した。次いで、長手方向の全長の１／８の位置を再度測定して確認した後、支柱を設置した位置、及び、上記のようにして位置決めした長手方向の全長の１／８の位置に梁（１０）を渡して、温室の骨組みを作成した。図３では便宜的に屋根の構造は水平になっているが、もちろん、アーチ状であってもよい。
【００２３】
以上のように、本考案の巻尺を使用すれば、測定した実寸と同時にその実寸の１／２の寸法を、その場で知ることができる。従って、現場において、全長の１／２、１／４、１／８、１／１６・・・・・の地点の割り出し及び位置決めを非常に簡便に実施することができる。また、従来の巻尺、例えば、特許文献４記載の巻尺とは異なり、測定した実寸と同時にその実寸の１／２の寸法を知ることができることから、全て実寸目盛を使用して測定でき、全長の１／２、１／４、１／８、１／１６・・・・・と繰り返して測定しても、従来の巻尺のように目盛を取り違えることが全くなく、正確に位置決めをすることができた。
【産業上の利用可能性】
【００２４】
本考案の長さ測定器具を使用すれば、現場において、実寸を測定すると同時にその１／２の寸法を知ることができる。従って、本考案の長さ測定器具は、現場において頻繁に行われる、元の寸法の１／２、１／４、１／８、１／１６・・・・・の地点の割り出し及び位置決めに際して、非常に有効である。従って、本考案の長さ測定器具は、例えば、駐車場の縁石の位置決め、建屋の縦桟の位置決め、便所の便器器具の位置決め、照明器具の位置決め、温室の骨組みの位置決め等の土建工事、大工工事、設備工事、電気工事、農業設備工事等に有効に利用されることが大いに期待される。
【符号の説明】
【００２５】
Ａ  本考案の長さ測定器具
Ｂ  特許文献４に記載された巻尺
ａ  実寸目盛
ｂ  実寸目盛の２倍の寸法の倍尺目盛
ｃ  実寸目盛の１／２の寸法の縮尺目盛
１  実寸目盛の１ｍｍ毎に付された表示線
２  実寸目盛の１０ｍｍ毎に付された対応する長さの数字
３  倍尺目盛の、実寸で１ｍｍ毎に付された表示線
４  倍尺目盛の、実寸で１０ｍｍ毎に付された実寸の１／２の長さの数字
５  天井
６  大きな照明器具
７  小さな照明器具
８  温室
９  支柱
１０  梁
１１  桁
【図１】
0003167046.tif 000003
【図２】
0003167046.tif 000004
【図３】
0003167046.tif 000005
【図４】
0003167046.tif 000006